(57)【要約】実施形態は、通信装置に取付けるアクセサリという形をとる。アクセサリは、音を検出するためにアクセサリに配置されるマイクロフォン、検出音に基づいて暗号化音声データを生成するためにマイクロフォンと通信するアクセサリに配置される暗号モジュール、暗号化音声データを通信装置に伝達するように構成される暗号モジュールと通信するアクセサリに配置される通信インタフェース、及び通信装置音声センサに隣接して配置されるように構成される音声センサ抑止装置を備える。【選択図】図１
2018524860.tif 000002
【特許請求の範囲】
【請求項１】
通信装置に取付けるアクセサリであって、
音を検出するために前記アクセサリに配置されるマイクロフォンと、
前記検出音に基づいて暗号化音声データを生成するために前記マイクロフォンと通信する前記アクセサリに配置される暗号モジュールと、
前記暗号モジュールと通信する前記アクセサリに配置される通信インタフェースと、
通信装置音声センサに隣接して配置されるように構成される音声センサ抑止装置と、
を備え、
前記通信インタフェースが前記暗号化音声データを前記通信装置に伝達するように構成されるアクセサリ。
【請求項２】
前記音声センサ抑止装置はトランスデューサを備える請求項１に記載のアクセサリ。
【請求項３】
前記音声センサ抑止装置は、前記トランスデューサ経由でノイズ信号を出力するように構成される信号発生器を更に備える請求項２に記載のアクセサリ。
【請求項４】
前記ノイズ信号はピンクノイズである請求項３に記載のアクセサリ。
【請求項５】
前記ノイズ信号はホワイトノイズである請求項３に記載のアクセサリ。
【請求項６】
前記ノイズ信号はランダムノイズである請求項３に記載のアクセサリ。
【請求項７】
前記暗号モジュールは、少なくとも暗号化通信セッションの間に前記暗号化音声データを生成する請求項３に記載のアクセサリ。
【請求項８】
前記信号発生器は、前記暗号化通信セッションの期間中に前記ノイズ信号を出力するように構成される請求項７に記載のアクセサリ。
【請求項９】
前記マイクロフォン及び前記トランスデューサと通信するノイズ消去モジュールを更に備え、
前記ノイズ消去モジュールは、前記検出音からノイズ信号成分を取除くように構成される請求項２又３に記載のアクセサリ。
【請求項１０】
前記音声センサ抑止装置は音吸収材料を備える請求項１〜９のいずれか１項に記載のアクセサリ。
【請求項１１】
前記通信インタフェースは有線通信インタフェースを備える請求項１〜１０のいずれか１項に記載のアクセサリ。
【請求項１２】
前記通信インタフェースは有線ユニバーサル・シリアル・バス（ＵＳＢ）通信インタフェースを備える請求項１〜１１のいずれか１項に記載のアクセサリ。
【請求項１３】
前記通信インタフェースはＡｐｐｌｅ  Ｌｉｇｈｔｎｉｎｇ（登録商標）通信インタフェースを備える請求項１〜１２のいずれか１項に記載のアクセサリ。
【請求項１４】
前記通信インタフェースは、(i)前記通信装置の所与のタイプの通信装置レセプタクルへの接続のために構成される通信インタフェースプラグ、及び(ii)前記所与のタイプのプラグを受けるために構成される通信インタフェースレセプタクルを備え、前記通信インタフェースは、前記通信インタフェースレセプタクル経由で受信される通信を前記通信インタフェースプラグ経由で前記通信装置レセプタクルに中継するように更に構成される請求項１〜１３のいずれか１項に記載のアクセサリ。
【請求項１５】
前記アクセサリは画像センサ抑止装置を更に備える請求項１〜１４のいずれか１項に記載のアクセサリ。
【発明の詳細な説明】
【背景技術】
【０００１】
[0001]
〔関連出願への相互参照〕
この出願は、「暗号化データを通信装置に伝達する方法及びシステム（METHODS AND SYSTEMS FOR CONVEYING ENCRYPTED DATA TO A COMMUNICATION DEVICE）」と題して、２０１５年６月１日に出願された、米国特許出願１４／７２７，６６１に対する優先権を主張する。
【０００２】
[0002]
人々は、無線を使って外出先で通信する。これを可能にする装置の中には、時としてパーソナルモバイル装置と称される装置がある。パーソナルモバイル装置の例は、数ある中でも、携帯電話、スマートフォン、ウォーキートーキー、及びポータブルホットスポットを含む。パーソナルモバイル装置は、例としては、（ウォーキートーキーの場合のような）ハンドヘルド、身体装着型、又は、車両（例えば自動車の屋根など）への取付け型にすることもあり得る。
【０００３】
[0003]
無線信号は比例的容易に傍受され得るので、パーソナルモバイル装置との（又はパーソナルモバイル装置間の）通信は、多くの場合、第三者による通信の傍受を防ぐために暗号化される。暗号化（encryption）は、可聴音声又は他のデータを理解できない音声に変換するプロセスであり、その一方で復号化(decryption)は、理解できない音声を元の可聴音声へ戻すように変換するプロセスである。暗号化及び復号化に用いられるそれぞれのアルゴリズムは、多くの場合、暗号（cipher）として総称される。通常の暗号の例は、高度暗号化規格（ＡＥＳ：Advanced Encryption Standard）、ブローフィッシュ（Blowfish）、トリプルＤＥＳ（３ＤＥＳ：Triple Data Encryption Algorithm）、及びＲＣ４を含め、数多くある。
【発明の概要】
【発明が解決しようとする課題】
【０００４】
[0004]
暗号化データを通信装置に伝達する方法及びシステムが、本願明細書に開示される。
【課題を解決するための手段】
【０００５】
少なくとも１つの実施形態において、通信装置に取付けるアクセサリは、音を検出するためにアクセサリに配置されるマイクロフォン、検出音に基づいて暗号化音声データを生成するためにマイクロフォンと通信するアクセサリに配置される暗号モジュール、暗号化音声データを通信装置に伝達するように構成される暗号モジュールと通信するアクセサリに配置される通信インタフェース、及び通信装置音声センサに隣接して配置されるように構成される音声センサ抑止装置を備える。
【０００６】
[0005]
少なくとも１つの実施形態において、音声センサ抑止装置はトランスデューサを備える。更なる実施形態において、音声センサ抑止装置は、ピンクノイズ、ホワイトノイズ、及びランダムノイズからなる群から選択されるノイズ信号をトランスデューサを介して出力するように構成される信号発生器を更に備える。１つのそのような実施形態において、暗号モジュールは、少なくとも暗号化通信セッションの間に暗号化音声データを生成し、そして信号発生器は、暗号化通信セッションの期間中にノイズ信号を出力するように更に構成され、別のそのような実施形態において、アクセサリは、マイクロフォン及びトランスデューサと通信するノイズ消去モジュールを更に備え、ノイズ消去モジュールは、検出音からノイズ信号成分を取除くように構成される。
【０００７】
[0006]
少なくとも１つの実施形態において、音声センサ抑止装置は音吸収材料を備える。
【０００８】
[0007]
少なくとも１つの実施形態において、通信インタフェースは有線通信インタフェースを備える。
【０００９】
[0008]
少なくとも１つの実施形態において、アクセサリは、アクセサリに配置される画像センサ抑止装置を更に備える。
【００１０】
[0009]
少なくとも１つの実施形態において、通信装置に取付けるアクセサリは、無線通信データを受信するように構成されるアクセサリに配置されるパーソナル・エリア・ネットワーク（ＰＡＮ）無線通信インタフェースであるところの、無線通信データが音を表す暗号化音声データを備える無線通信インタフェースと、暗号化音声データを通信装置に伝達するように構成されるＰＡＮ無線通信インタフェースと通信するアクセサリに配置された有線通信インタフェースと、通信装置音声センサに隣接して位置するように配置される音声センサ抑止装置とを備える。
【００１１】
[0010]
少なくとも１つの実施形態において、音声センサ抑止装置はトランスデューサを備える。
【００１２】
[0011]
少なくとも１つの実施形態において、音声センサ抑止装置は、トランスデューサを介してノイズ信号を出力するように構成される信号発生器を更に備える。
【００１３】
[0012]
少なくとも１つの実施形態において、ノイズ信号は、ピンクノイズ、ホワイトノイズ、及びランダムノイズからなる群から選択される。１つのそのような実施形態において、信号発生器は、暗号化通信セッションの期間中にノイズ信号を出力するように更に構成される。
【００１４】
[0013]
少なくとも１つの実施形態において、音声センサ抑止装置は音吸収材料を備える。
【００１５】
[0014]
少なくとも１つの実施形態において、通信インタフェースは有線ＵＳＢ通信インタフェースを備える。
【００１６】
[0015]
少なくとも１つの実施形態において、アクセサリは画像センサ抑止装置を更に備える。
【００１７】
[0016]
少なくとも１つの実施形態において、無線通信データは、ブルートゥース（登録商標）・ヘッドセットからＰＡＮ無線通信インタフェースによって受信される。
【００１８】
[0017]
少なくとも１つの実施形態において、通信装置に取付けるアクセサリは、通信装置音声センサに隣接して位置するように配置される音声センサ抑止装置であるところの、トランスデューサを備える音声センサ抑止装置と、ピンクノイズ、ホワイトノイズ、及びランダムノイズからなる群から選択されるノイズ信号をトランスデューサを介して出力するように構成される信号発生器であるところの、トリガイベントに応答してノイズ信号を出力するように構成される信号発生器とを備える。
【００１９】
[0018]
少なくとも１つの実施形態において、トリガイベントは、暗号化通信セッションの開始を備える。
【００２０】
[0019]
少なくとも１つの実施形態において、アクセサリは、アクセサリに配置される画像センサ抑止装置を更に備える。
【００２１】
[0020]
当業者が、１つ以上の等価な構成要素、構造、装置などを用いて開示されたシステム及び方法をうまく実施することができて、この開示の範囲及び精神を逸脱しないで、等価であるが異なる方法で特定の機能を組合せ、及び／又は分散できるので、上記の概要は、例証として提供されるものであって制限ではない。
【００２２】
[0021]
類似の参照符号が別の図の全体にわたって同一又は機能的に同等の要素を指す添付図は、下記の詳細な説明とともに、本明細書に組み込まれて、一部をなして、請求された本発明を含む概念の実施形態を更に例示するのに役立って、それらの実施形態の様々な原理及び利点を説明する。
【図面の簡単な説明】
【００２３】
[0022]-[031]
【図１】少なくとも１つの実施形態によるアクセサリのブロック図を示す。
【図２】少なくとも１つの実施形態による通信システムを示す。
【図３】少なくとも１つの実施形態による方法のフローチャートを示す。
【図４】少なくとも１つの実施形態による音声センサ抑止の第１の実施例を示す。
【図５】少なくとも１つの実施形態による音声センサ抑止の第２の実施例を示す。
【図６】少なくとも１つの実施形態による通信システムを示す。
【図７】少なくとも１つの実施形態による方法のフローチャートを示す。
【図８】少なくとも１つの実施形態による通信システムを示す。
【図９】少なくとも１つの実施形態によるアクセサリの例示の構造を示す。
【図１０】少なくとも１つの実施形態によるアクセサリの例示の構造を示す。
【発明を実施するための形態】
【００２４】
[0032]
本システム及び方法は、次に図を参照して説明される。しかしながら、示された構成及び機能からの多数のバリエーションが、請求項の範囲及び精神の中にとどまるとともに可能であることを理解すべきである。例えば、１つ以上の要素が、加えられ、取除かれ、結合され、分散され、置換され、移動され、並べ替えられ、及び／又は、さもなければ変えることができる。更に、この説明が、１つ以上の装置、１つ以上の機械、及び／又は１つ以上のネットワークで、及び／又はそれにより実施される１つ以上の機能に関連する場合には、この種の実体の１つ以上が、それ自体によって、又は協力してこの種の機能の１つ以上を実施することができて、ハードウェア、ファームウェア、及び／又はソフトウェアのいかなる好適な組合せの適用によってもそうすることができることを理解すべきである。例えば、１つ以上のプロセッサは、本願明細書に記載されている機能の１つ以上を実施することの少なくとも一部としてプログラミング命令の１つ以上のセットを実行できる。
【００２５】
[0033]
図１は、少なくとも１つの実施形態によるアクセサリのブロック図を示す。示すように、アクセサリ１０２は、マイクロフォン１０４、暗号モジュール１０６、通信インタフェース１０８、及び音声センサ抑止装置１１０を含み、そのすべてはシステムバス１１２を介して相互接続する。マイクロフォン１０４、暗号モジュール１０６、及び通信インタフェース１０８は、すべてハウジングに配置される。音声センサ抑止装置は、通信装置音声センサに隣接して位置するように構成される。アクセサリ１０２が、本願明細書でリストすることができる多くの他の可能なバリエーションの中で、追加の及び／又は様々な構成要素、並びにおそらく構成要素の様々な構成を備えることができることを当業者は理解するであろう。
【００２６】
[0034]
マイクロフォン１０４は、当業者に知られているように、コンデンサ・マイクロフォン、ダイナミックマイクロフォン、リボンマイクロフォン、カーボンマイクロフォン、圧電マイクロフォン、光ファイバマイクロフォン、レーザーマイクロフォン、リキッドマイクロフォン、ＭＥＭＳマイクロフォン、及び／又はその他のマイクロフォンという形をとる（又は含む）ことができる。マイクロフォン１０４は、音を検出して、検出音を通信バス１１２を介して暗号モジュール１０６に伝達する。
【００２７】
[0035]
暗号モジュール１０６は、暗号機能又はプロセス、例えば、暗号アルゴリズム及び／又はキー生成を実行するためのハードウェア及び／又はソフトウェアという形をとることができる。実施形態において、暗号モジュール１０６は、暗号モジュールの物理的な範囲（physical bounds）を確立し、暗号モジュールの任意のソフトウェアコンポーネント及びファームウェアコンポーネントを格納し保護する何らかのプロセッサ及び／又は他のハードウェアコンポーネントを収容する、明示的に定義された境界線（explicitly defined perimeter）の範囲内に収容される。当業者に知られているように、暗号モジュール１０６は、セキュア暗号プロセッサ、スマートカード、セキュアデジタル（ＳＤ）カード、マイクロＳＤカード、加入者識別モジュール（ＳＩＭ：subscriber identity module ）カード、及び／又は他の暗号モジュールの形態をとる（又は含む）こともあり得る。システムバス１１２経由でマイクロフォン１０４と通信する暗号モジュール１０６は、検出音に基づいて暗号化音声データを生成できる。いくつかの実施形態では、暗号モジュール１０６は、少なくとも暗号化通信セッションの間に暗号化音声データを生成する。
【００２８】
[0036]
通信インタフェース１０８（無線通信インタフェース１１４及び／又は有線通信インタフェース１１６を含む）は、１つ以上の他の構成要素及び／又はエンティティとの１つ以上の通信の形態を遂行するために必要な任意のハードウェア（例えば、チップセット、アンテナ、イーサネット（登録商標）カードなど）も、いかなる必要なファームウェアも、及び／又はいかなる必要なソフトウェアも含むこともできる。暗号モジュール１０６と通信する通信インタフェース１０８は、暗号化音声データを通信装置に伝達する。
【００２９】
[0037]
無線通信インタフェース１１４は、所与の実施態様に対して又は所与のコンテキストで当業者に知られている他のプロトコルの中で、１つ以上の無線通信プロトコル、例えば、ロング・ターム・エボリューション（ＬＴＥ）、グローバル・システム・フォー・モバイル・コミュニケーションズ（ＧＳＭ（登録商標））、ＣＤＭＡ２０００、ＩＥＥＥ  ８０２．１１（Ｗｉ−Ｆｉ）及び／又はブルートゥース（登録商標）に従って通信するように構成することができる。同様に、有線通信インタフェース１１６は、多数の他の可能性の中で、１つ以上の有線通信プロトコル、例えば、イーサネット（登録商標）、ユニバーサル・シリアル・バス（ＵＳＢ）、Ａｐｐｌｅ  Ｌｉｇｈｔｎｉｎｇ（登録商標）、Ｉｎｔｅｌ／Ａｐｐｌｅ  Ｔｈｕｎｄｅｒｂｏｌｔ（登録商標）などに従って通信するように構成することができる。
【００３０】
[0038]
通信インタフェース１０８が，無線通信インタフェース１１４及び有線通信インタフェース１１６の両方を含むとして示されるが、当業者は、通信インタフェース１０８が様々な及び／又は追加の通信インタフェースを含むことができると理解するであろう。例えば、通信インタフェース１０８の実施形態は、無線インタフェース１１４だけ、又は有線通信インタフェース１１６だけを含むことができる。
【００３１】
[0039]
音声センサ抑止装置１１０は、音吸収材料又は音響減衰材料１１８及び／又は通信装置音声センサによる音検出を受動的に抑制できる他の材料という形をとる（又は含む）ことができる。当業者に知られているように、加えて、又は代わりに、音声センサ抑止装置１２０は、トランスデューサ１２０という形をとる（又は含む）ことができて、それは、次に、拡声器、圧電スピーカ、静磁気スピーカ、静電スピーカ、リボン磁気スピーカ、フラット・パネル・スピーカ、デジタルスピーカ、又はその他のトランスデューサという形をとることができる。音声センサ抑止装置１１０は、トランスデューサを介して（他の可能性があるノイズ信号の中の）ピンクノイズ、ホワイトノイズ、及び／又はランダムノイズを出力するように構成される信号発生器１２２を更に含むことができる。信号発生器は、暗号化通信の期間中にノイズ信号を出力するように構成されることもできる。少なくとも１つの実施形態において、音声センサ抑止装置１１０は、音響減衰材料及びトランスデューサ（及びおそらく信号発生器）の両方を含む。少なくとも１つの他の実施形態において、アクセサリ１０２は、マイクロフォン１０４及びトランスデューサ１２０と通信するノイズ消去モジュールを更に含み、そしてノイズ消去モジュールは、検出音からノイズ信号成分を取除くように構成される。当業者は、音声センサ抑止装置１１０が同様に他の形をとることができると理解するであろう。
【００３２】
[0040]
図２は、少なくとも１つの実施形態による通信システムを示す。示すように、通信システム２００は、アクセサリ１０２、音波２０２、通信装置２０４、及び通信リンク２１０を含む。アクセサリ１０２は、図１に示すと同じアクセサリ２０１である。音波２０２は、アクセサリの近くに存在する音を表す。当業者に知られているように、通信装置２０４は、携帯電話／スマートフォン、ラップトップ・コンピュータ、デスクトップコンピュータ、携帯メディアプレーヤ、スマートウォッチ、モバイルラジオ、タブレット型コンピュータ、及び／又はその他の通信装置という形をとる（又は含む）ことができる。通信装置２０４は、例えば、マイクロフォン１０４の形と類似の形をとることができる、通信装置音声センサ２０６を含むとして示される。通信リンク２１０は、例えば、本願明細書に記載されているように、それぞれ、１つ以上の有線及び／又は無線プロトコルによるアクセサリと通信装置間の有線及び／又は無線通信リンクであり得る。
【００３３】
[0041]
図３は、少なくとも１つの実施形態による方法のフローチャートを示す。例示のアクセサリ１０２は、図１〜図２に示すように、方法３００を実施するために用いることができる。方法３００は、ステップ３０２から始まり、音声センサ抑止装置１１０が、通信装置音声センサ２０６によって音の検出を抑止する。実施形態において、音声センサ抑止装置１１０は、通信装置音声センサ２０６に隣接して配置される。方法３００の更なる態様は、図４〜図５の説明に続いて説明される。
【００３４】
[0042]
図４は、少なくとも１つの実施形態による音声センサ抑止装置の第１の実施例を示す。例示のアクセサリ１０２は、図１〜図２に示すように、通信装置の音声センサが音波２０２を正確に検出するのを抑止するために用いることができる。図４において、音声センサ抑止装置は、ノイズ信号４０２を出力するトランスデューサ１２０の形をとり、それは、実施例として、ホワイトノイズ、ピンクノイズ、及び／又はランダムノイズの形をとる（又は含む）ことができる。少なくとも１つの実施形態において、トランスデューサは、信号発生器１２２に連結して、ノイズ信号４０２に対応する電気信号を提供する。
【００３５】
[0043]
示すように、ノイズ信号４０２は、音波２０２と結合されて、抑止信号４０４を生じる。音波２０２が図示の例で正弦波として示されるが、音波２０２は、他の形（例えば、スピ−チ、音楽などに対応する音波）をとることができることを理解すべきである。抑止信号４０４は、音圧波の建設的又は破壊的な干渉の結果であり得る。図示のように、抑止信号４０２は、音波２０２から非常に変化し、従って通信装置音声センサ２０６を潜在的に聴取するあらゆる盗聴者に対するセキュリティの追加手段を潜在的に提供する。
【００３６】
[0044]
少なくとも１つの実施形態において、信号発生器１２２は、暗号化通信セッションの期間中にノイズ信号４０２を出力するように構成されるが、実施形態によっては、信号発生器１２２は、他の期間（例えば、ユーザ指定期間）の間にノイズ信号４０２を出力するように構成される。
【００３７】
[0045]
図５は、少なくとも１つの実施形態による音声センサ抑止の第２の実施例を示す。図４についての説明と同様に、例示のアクセサリ１０２は、図１〜図２に示すように、通信装置の音声センサが音波２０２を正確に検出するのを抑止するために用いることができる。音声センサ抑止装置１１０は、音声弱材料（audio dampening material）１１８という形をとり、それは音波２０２から一部又はすべての音波エネルギーを吸収することができて、これは音波エネルギーが通信装置音声センサ２０６に達するのを潜在的に防止する。音声弱材料１１８は、通信装置音声センサ２０６に隣接して、又はそれの近くに、例えば、音波２０２と通信装置音声センサ２０６の間に配置できる。音声弱材料１１８内の記号「ｂ」は、材料による減衰の量を表し、より大きなｂは、音声弱材料１１８により吸収されるより多くの音波エネルギーに結果としてなる。
【００３８】
[0046]
減少した振幅の音波５０２は、音声弱材料１１８を通過した音波２０２の結果を表す。十分な減衰を適用すると、減少した振幅の音波５０２は、通信装置音声センサ２０６を聴取している盗聴者には理解しがたいことがあり得る。
【００３９】
[0047]
図３に戻ると、ステップ３０４で、マイクロフォン１０４は音波２０２を検出して、ステップ３０６で、暗号モジュール１０６は、検出音に基づいて暗号化音声データを生成する。少なくとも１つの実施形態において、暗号モジュール１０６は、マイクロフォン１０４により検出される音に基づいて暗号化音声データを生成するように構成される暗号化モジュールを含む。暗号モジュール１０６は、少なくとも暗号化通信セッションの間に暗号化音声データを生成できる。少なくとも１つの他の実施形態において、暗号モジュール１０６は、インバウンドの暗号化情報（例えば、通信装置から受信した暗号化情報）を復号化するように構成される復号化モジュールを含む。
【００４０】
[0048]
ステップ３０８で、通信インタフェース１０８は、（ステップ３０６で生成された）暗号化音声データを通信装置２０４に伝達する。通信インタフェース１０８は、実施例として、暗号化音声を通信装置２０４に提供するように、そして／又は通信装置２０４から暗号化音声を受信するように構成されることができる。通信インタフェース１０８は、暗号モジュール１０６と通信して、暗号化音声データを通信装置２０４と暗号モジュールの間で中継できる。通信インタフェース１０８は、暗号化音声を通信リンク２１０経由で提供できる。通信リンク２１０は、本願明細書に記載のように、それぞれ、１つ以上の有線及び／又は無線プロトコルによる有線及び／又は無線通信リンクであり得る。
【００４１】
[0049]
通信装置２０４は、ワイド・エリア・ネットワーク（ＷＡＮ）に送信される暗号化音声データを受信するように構成できる。少なくとも１つの実施形態において、通信装置２０４は、変更のない暗号化音声データをモバイル送信器に渡すように構成される。通信装置２０４が、変更のない暗号化音声データをＷＡＮに渡すように構成されることができない場合、有線接続は、暗号化音声データをモバイル送信器に渡すために利用できる。
【００４２】
[0050]
図６は、少なくとも１つの実施形態による通信システムを示す。示すように、通信システム６００は、図２からの音波２０２及び通信装置２０４、アクセサリ６０２、外部アクセサリ６０９、通信リンク６１０、並びに通信リンク６１２を含む。アクセサリ６０２は、無線通信インタフェース１１４、有線通信インタフェース１１６、及び音声センサ抑止装置１１０を含み、それらは図１のアクセサリ１０２の構成要素と類似している。外部アクセサリ６０９は、無線／有線ヘッドセット、カメラ、キーボード、ディスプレイスクリーン、タッチスクリーン・ビデオディスプレイ、又は本願明細書に記載の外部アクセサリ機能を実行できるその他の装置という形をとる（又は含む）ことができる。
【００４３】
[0051]
図７は、少なくとも１つの実施形態による方法のフローチャートを示す。図６のアクセサリ６０２は、方法７００を実行するために用いることができる。方法７００はステップ７０２から始まり、音声センサ抑止装置１１０は、通信装置音声センサ２０６による音の検出を抑止する。音声センサ抑止装置１１０は、本願明細書に記載の手段のいずれかによる音の検出を抑止することができて、図４〜図５に示す実施例を含む。
【００４４】
[0052]
ステップ７０４で、無線通信インタフェース１１４は、無線ＰＡＮ通信リンク６１０経由で外部アクセサリ６０９から暗号化音声データを受信する。音声データは、外部アクセサリ６０９によって（おそらく外部アクセサリ・マイクロフォンを介して）検出された音を表すことができて、音声データは、外部アクセサリ６０９によって（例えば、外部アクセサリ暗号モジュールを介して）暗号化できる。外部アクセサリ６０９は、関連するカメラ又はキーボードから、それぞれ、画像を検出するか又はテキスト入力データを受信する機能を有することもできる。受信画像又はテキストを表すデータは、外部アクセサリ６０９による検出音の暗号化として類似方法によって暗号化できる。暗号化データは、通信リンク６１０経由で送信することもできる。外部アクセサリ６０９は、テキスト及び画像を表す暗号化データを受信し、暗号化データを復号化し、そしてビデオクリーン又はタッチスクリーンディスプレイによって暗号化されていないデータを明確に表示する能力も有する。
【００４５】
[0053]
ステップ７０６で、有線通信インタフェース１１６は、（ステップ７０４で受信した）暗号化音声データを有線通信リンク６１２経由で通信装置２０４に伝達する。
【００４６】
[0054]
図８は、少なくとも１つの実施形態による通信システムを示す。示すように、通信システム８００は、アクセサリ８０２、外部アクセサリ６０９、並びに図２に示す音波２０２及び通信装置２０４を含む。アクセサリ８００は、通信装置音声センサ２０６に隣接して配置されるように構成される音声センサ抑止装置１１０を含む。図示の通信システムにおいて、暗号化音声データは、通信リンク８１０経由で通信装置２０４と外部アクセサリ６０９の間で交換され、そして音声センサ抑止装置１１０は、通信装置音声センサ２０６による音−外部アクセサリ６０９のマイクロフォンによる受信を意図するスピーチのような音の検出を抑止する。音声センサ抑止装置１１０は、図４〜図５に示す実施例を含むために、本願明細書に記載の手段のいずれかによる音の検出を抑止できる。
【００４７】
[0055]
図９は、少なくとも１つの実施形態によるアクセサリの例示の構造を示す。示すように、アクセサリ９００は、プロセッサ９０５、通信インタフェース９１０、スピーカ９１５、画像センサ抑止装置９２０、マイクロフォン９２５、及び音声センサ抑止装置９３０を含む。実施形態において、通信インタフェース９１０は、通信インタフェースプラグ及び通信インタフェースレセプタクルの両方を含む。通信インタフェースプラグは、通信装置２０４の所与のタイプの通信装置レセプタクル（例えば、ＵＳＢ、Ａｐｐｌｅ  Ｌｉｇｈｔｎｉｎｇ（登録商標）など）への接続のために構成することができて、通信インタフェースレセプタクルは、その同じタイプのプラグを受けるように構成できる。通信インタフェース９１０は、通信インタフェースレセプタクル経由で受信されるいかなる通信も通信インタフェースプラグ経由で通信装置レセプタクルに中継するように構成されることができる（及び／又は逆もまた同じ）。通信インタフェースプラグ及び通信インタフェースレセプタクルは、例えば、アクセサリ９００が通信装置２０４に取付けられるとともに通信装置レセプタクルの使用を可能にするために、例えば、通信インタフェース９１０が暗号化音声データを通信インタフェースプラグ及び通信インタフェースレセプタクル経由で通信装置２０４に伝達すること、及び／又は何らかの暗号化音声データに加えて（又はその代わりに）データを通信装置２０４に伝達することを可能にするために機能することができる。
【００４８】
[0056]
プロセッサ９０５は、実施例として、暗号モジュール１０６、通信インタフェース１０８、音声センサ抑止装置１１０、及び／又はこれらのあらゆる組合せの一部又はすべてを含むことができる。プロセッサ９０５は、当業者によって適切であると考えられるあらゆるタイプの１つ以上のプロセッサという形をとることができる。いくつかの実施例は、マイクロプロセッサ及び専用のデジタル信号プロセッサ（ＤＳＰ）を含む。少なくとも１つの実施形態において、プロセッサ９０５は、音声データを暗号化するように、そして／又は暗号化音声データを有線及び／又は無線通信リンク経由で通信装置に提供するように構成される。プロセッサ９０５は、例えば、通信装置から受信したインバウンドの暗号化音声データを復号化するように更に（又は代わりに）構成することができる。
【００４９】
[0057]
画像センサ抑止装置９２０は、非透明なカバー、画像センサを照射する明るい光、又は画像センサを被覆するその他の手段という形をとる（又は含む）ことができて、通信装置の画像センサによってビデオ又は画像の検出を抑止するように機能できる。
【００５０】
[0058]
少なくとも１つの実施形態において、音声センサ抑止装置９３０は、通信装置音声センサの真上に配置される。音声センサ抑止装置９３０は、格納式であり得て、従って、例えば、通信装置音声センサが暗号化されていない通信セッションの間に用いることができるように、アクセサリ９００が使用中でないときに抑止装置が格納されることを潜在的に可能にする。
【００５１】
[0059]
図１０は、少なくとも１つの実施形態によるアクセサリの例示の構造を示す。示すように、アクセサリ９００は、通信装置１００用のスマートフォンケースという形をとる。通信装置１０００が携帯電話／スマートフォンとして示されるが、通信装置は、この詳細な説明の全体にわたって述べられるように、他の形をその代わりに（又は加えて）とることができる。
【００５２】
[0060]
例示の実施形態において、複数の構成要素が、通信装置の様々なモデルに適合するために存在できる。例えば、アクセサリは、複数の音声センサ抑止装置又は画像センサ抑止装置を含むことができて、それぞれ、複数のセンサを含む通信装置のために、複数の通信装置音声センサ又は画像センサに隣接して配置されるように各々が構成される。
【００５３】
[0061]
利益、利点、課題に対する解決、及びいかなる利益、利点、又は解決をも生じるか又はよりはっきりになることがあり得るいかなる要素も、一部又はすべての請求項の重要な、必要な、又は不可欠な特徴又は要素として解釈してはならない。本発明は、本出願の係属中になされるあらゆる補正を含む添付の請求の範囲及び発行されるそれらの請求項のすべての等価物によってだけ定義される。
【００５４】
[0062]
更に本文書において、第１及び第２、上部及び下部などのような関係を示す用語は、この種の実体又は動作の間のいかなる実際のこの種の関係又は順序も必然的に必要又は包含せずに、１つの実体又は動作を他の実体又は動作と区別するだけのために用いることができる。用語、「備える(comprises）」「備えている(comprising)」、「有する(has)」、「有している(having)」、「含む(includes)」、「含んでいる(including)」、「含有する(contains)」、「含有している(containing)」、又はそれらのいかなる他のバリエーションも、非排他的な包含をカバーすることを目的とする。そうすると、要素のリストを備える(comprises）、有する(has)、含む(includes)、含有する(contains)プロセス、方法、物品、又は装置は、それらの要素だけを含まず、しかし明白にリストされないか又はこの種のプロセス、方法、物品、又は装置に固有の他の要素を含むことができる。「ａ…を備える(comprises...a)」、「ａ…を有する(has...a)」、「ａ…を含む(includes...a)」、「ａ…を含有する(contains...a)」によって続けられる要素は、より多くの制約なしで、要素を備える(comprises)、有する(has)、含む(includes)、含有する(contains)プロセス、方法、物品、又は装置における追加の同じ要素の存在を排除しない。用語「ａ」及び「ａｎ」は、本願明細書において明確に述べられない限り、１つ以上として定義される。用語「実質的に」、「基本的に」、「ほぼ」、「約」、又はその他のいかなるバージョンも、当業者により理解されるように近いと定義され、そして１つの非限定的な実施形態において、用語は、１０％以内、別の実施形態において、５％以内、別の実施形態において、１％以内、そして別の実施形態において、０．５％以内にあると定義される。本願明細書で用いられる用語「連結される」は、必ずしも直接にでなく、そして必ずしも機械的にでないが、接続されると定義される。特定の方法で「構成される」装置又は構造は、少なくともその方法で構成されるが、リストされない方法で構成されることもできる。
【００５５】
[0063]
いくつかの実施形態が、１つ以上の一般的又は専用のプロセッサ（又は「処理装置」）、例えば、マイクロプロセッサ、デジタル信号プロセッサ、カスタマイズされたプロセッサ、及びフィールドプログラマブルゲートアレイ（ＦＰＧＡ）、並びに特定の非プロセッサ回路と連動して、本願明細書に記載の方法及び／又は装置の機能の一部、大部分、又はすべてを実施するために１つ以上のプロセッサを制御する固有の格納されたプログラム命令（ソフトウェア及びファームウェアの両方を含む）からなり得ることが理解されるであろう。或いは、いくつか又はすべての機能は、格納されたプログラム命令を有しない状態機械によって、又は１つ以上の特定用途向け集積回路（ＡＳＩＣ）で実施することができて、そこにおいて、各機能又はある機能のいくつかの組合せは、カスタム論理として実施される。もちろん、２つの方法の組合せを使うことができる。
【００５６】
[0064]
更に、実施形態は、（例えば、プロセッサを備える）コンピュータをプログラミングして、本願明細書に記載されて請求される方法を実行するために、そこに格納されるコンピュータ可読コードを有するコンピュータ可読記憶媒体として実施できる。この種のコンピュータ可読記憶媒体の実施例は、ハードディスク、ＣＤ−ＲＯＭ、光記憶装置、磁気記憶装置、ＲＯＭ（読出し専用メモリ）、ＰＲＯＭ（プログラム可能読出し専用メモリ）、ＥＰＲＯＭ（消去可能プログラム可能読み出し専用メモリ）、ＥＥＰＲＯＭ（電気的消去可能プログラム可能読出し専用メモリ）、及びフラッシュメモリを含むが、これに限定されるものではない。更に、当業者は、本願明細書に開示される概念及び原理によって導かれるときに、例えば、利用できる時間、現在の技術、及び経済的考慮によって動機づけされるおそらく重要な効果及び多くの設計選択にも関わらず、最小の実験によってこの種のソフトウェア命令及びプログラム及びＩＣを生成することが容易にできるであろうことが予期される。
【００５７】
[0065]
開示の概要は、読者が技術的な開示の特質を急速に確認できるように提供される。それが請求項の範囲又は意味を解釈するか又は制限するために用いないという了解の下でそれは提出される。加えて、前述の詳細な説明で、様々な特徴が、本開示を合理化するために様々な実施形態において集められることが分かる。この開示の方法は、請求された実施形態が各請求項において明確に詳述されるより多くの特徴を必要とする意図を表すと解釈すべきではない。むしろ、以下の請求項が表すように、発明の内容は、単一の開示された実施形態のすべての特徴より少なくある。このように、以下の請求項は、詳細な説明に組込まれて、各請求項は、別々に請求された内容として自立している。
【図１】
2018524860.tif 000003
【図２】
2018524860.tif 000004
【図３】
2018524860.tif 000005
【図４】
2018524860.tif 000006
【図５】
2018524860.tif 000007
【図６】
2018524860.tif 000008
【図７】
2018524860.tif 000009
【図８】
2018524860.tif 000010
【図９】
2018524860.tif 000011
【図１０】
2018524860.tif 000012
【国際調査報告】
2018524860.tif 000013
2018524860.tif 000014
2018524860.tif 000015